(57)【要約】【課題】従来のゴミステーション用ゴミ収容具は、大量のゴミを収容するには、大容量の枠体を必要とするため、少量のゴミにも大容量の占有面積を有するという問題や、ネットを被せる手段を取っているものは、学習したカラスにより、ネットをめくり上げられ、ゴミを荒らされる被害が発生していた。【解決手段】上下方向に配置する支持部材（１）の上部に設けた吊り金物（２）に、吊り補助具（３）により、吊り金物（２）から、吊り下げられる防護幕（４）を設け、吊り下げられた防護幕（４）の下端に沿って密着接続された、囲い部材（５）を設け、前記、囲い部材（５）は、折畳可能な構造で、その端どうしを着脱可能とする着脱手段（６）を設けた事を特徴とする折畳式ゴミ収容具。【選択図】図１
2017114644.tif 000002
【特許請求の範囲】
【請求項１】
上下方向に配置する支持部材（１）の上部に設けた吊り金物（２）に、吊り補助具（３）により、吊り金物（２）から、吊り下げられる防護幕（４）を設け、吊り下げられた防護幕（４）の下端に沿って密着接続された、囲い部材（５）を設け、前記、囲い部材（５）は、折畳可能な構造で、その端どうしを着脱可能とする着脱手段（６）を設けた事を特徴とする折畳式ゴミ収容具。
【請求項２】
前記、吊り金物（２）が、単数もしくは複数で、突き出す角度を調整可能で且つ、突き出ない形に収納可能とすることを特徴とする請求項１に記載の折畳式ゴミ収容具。
【発明の詳細な説明】
【技術分野】
【０００１】
本発明は、地方自治体や町内会等が指定したゴミ収集場所に設けられる、ゴミ収容具に関する。
【背景技術】
【０００２】
従来、ゴミステーションとも言われるゴミ収集場所に設けられる、折畳式ゴミ収容具としては、特開２０１４−１２５２９６折畳式ゴミステーション、特開２００１−２１４５２０フルオープン式ゴミステーション、特開平８−５８９１３ゴミステーション用集荷体、実用新案登録第３１４６９４６号ゴミ集積所囲い、実用新案登録第３１４０７３９号ネット巻回型鳥害対策用ゴミ集積装置、等が提案されている。
【０００３】
特開２０１４−１２５２９６折畳式ゴミステーション、特開２００１−２１４５２０フルオープン式ゴミステーションでは、大量のゴミを収容するには、大容量の枠体を必要する。
【０００４】
特開平８−５８９１３ゴミステーション用集荷体、実用新案登録第３１４６９４６号ゴミ集積所囲い、実用新案登録第３１４０７３９号ネット巻回型鳥害対策用ゴミ集積装置では、ゴミの量に応じて拡縮できる囲い部材を有するが、ゴミの投入口は上部に限られるため、鳥害対策方法は、ネットを被せる手段を取っている。
【先行技術文献】
【特許文献】
【０００５】
【特許文献１】特開２０１４−１２５２９６  折畳式ゴミステーション
【特許文献２】特開２００１−２１４５２０  フルオープン式ゴミステーション
【０００６】
【特許文献３】特開平８−５８９１３  ゴミステーション用集荷体
【特許文献４】実用新案登録第３１４６９４６号  ゴミ集積所囲い
【特許文献５】実用新案登録第３１４０７３９号ネット巻回型鳥害対策用ゴミ集積装置
【発明の概要】
【発明が解決しようとする課題】
【０００７】
特開２０１４−１２５２９６折畳式ゴミステーション、特開２００１−２１４５２０フルオープン式ゴミステーションでは、大量のゴミを収容するには、大容量の枠体を必要とするため、少量のゴミにも大容量の占有面積を有するという問題が有った。
【０００８】
特開平８−５８９１３ゴミステーション用集荷体、実用新案登録第３１４６９４６号ゴミ集積所囲い、実用新案登録第３１４０７３９号ネット巻回型鳥害対策用ゴミ集積装置では、ゴミの量に応じて拡縮できる囲い部材を有するが、ゴミの投入口は上部に限られるため、鳥害対策方法は、ネットを被せる手段を取っている。
【０００９】
このため、学習したカラスにより、ネットをめくり上げられ、ゴミを荒らされる被害が発生していた。
【課題を解決するための手段】
【００１０】
以上の問題を解決するため、第１発明は、上下方向に配置する支持部材（１）の上部に設けた吊り金物（２）に、吊り補助具（３）により、吊り金物（２）から、吊り下げられる防護幕（４）を設け、吊り下げられる防護幕（４）の下端に沿って密着接続された、囲い部材（５）を設け、前記囲い部材（５）は、折畳可能な構造で、その端どうしを着脱可能とする着脱手段（６）を設けた事を特徴とする折畳式ゴミ収容具である。
【００１１】
第２発明は、第１発明に示す、吊り金物（２）が単数もしくは複数で、突き出す角度を調整可能で且つ、突き出ない形に収納可能とすることを特徴とする折畳式ゴミ収容具である。
【発明の効果】
【００１２】
第１発明および、第２発明によれば、折畳収納された囲み部材（５）の拡縮機能により、ゴミの量に応じて拡げることにより、占有面積を最小限に抑えることが可能となる。
【００１３】
更に、鳥害対策となる、防護幕（４）が、囲い部材（５）と一体で侵入を防ぐため、鳥にゴミを荒らされる事も無くなるという効果がある。
【図面の簡単な説明】
【００１４】
【図１】図１は、本願第１発明の実施例を示す斜視図である。
【図２】図２は、本願第１発明の作用（ゴミ投入時）を示す斜視図である。
【図３】図３は、本願第１発明の作用（ゴミ収集作業）を示す斜視図である。
【図４】図４は、本願第１発明の作用（収納時）を示す斜視図である。
【図５】図５は、本願第２発明の実施例1を示す斜視図である。
【図６】図６は、本願第２発明の実施例1の作用（収納時）を示す斜視図である。
【図７】図７は、本願第２発明の実施例２を示す斜視図である。
【図８】図８は、本願第２発明の実施例２の作用（収納時）を示す斜視図である。
【発明を実施するための形態】
【００１５】
図１に、第１発明の実施例を示す。棒状の支柱や、電柱、または建物壁面である上下方向に配置する支持部材（１）の上部に、吊り金具固定部材（１０）により上下方向に移動可能に設けた、ほぼ水平方向に突き出す吊り金物（２）の長手方向に自由に移動可能となるように設けた吊り補助具（３）により、吊り金物（２）から、空気抵抗を低減させるとともに内部の視認性を得るため、網目（１１）構造や、すだれ構造の防護幕（４）を吊り下げるように設ける。
【００１６】
さらに、吊り下げられる防護幕（４）の下端に沿って密着接続され、風などで浮き上がらないための重りの役割も持つ、囲い部材（５）は、連結部材（１３）で折畳可能な構造に設けられ、その長さで可能な範囲を囲み、ゴミ袋を収容する。
【００１７】
さらに、囲み部材（５）の端どうしを着脱可能とする着脱手段（６）を設けた事を特徴とする折畳式ゴミ収容具である。
【００１８】
図２に、本願発明の作用（ゴミ投入時）を示す。これによれば、サークル状に配置される囲み部材（５）端の上部の防護幕（４）は、縦長のスリット（隙間）を構成し、利用者（１９）が開口用つまみ（８）をつまみ上げ、横方向に広げると大きなゴミ投入口（９）として利用される。
【００１９】
ゴミ投入口（９）は、折畳可能な構造に設けられた囲い部材（５）上部の、防護幕（４）、に複数構成可能である。
【００２０】
ゴミ投入口（９）のスリット下部の隙間から、鳥がくちばしを入れられないように、重なり部（１２）を設けて、防護策を強化してある。
【００２１】
図３に、本願発明の作用（ゴミ収集作業）を示す。これによれば、サークル状に配置される囲み部材（５）を着脱手段（６）を外すことで解放部（７）となり、大きく広がりゴミ収集作業が容易になる作用が発生する。
【００２２】
図４に、本願発明の作用（収納時）を示す。これによれば、囲い部材（５）は折畳まれ、防護幕（４）は、吊り補助具（３）により、支持部材（１）寄りに、小さく収納され、収納留め具（１７）を巻き付けるように留めることで、突風などでも拡散されない収納を実現している。
【００２３】
図５に、第２発明の実施例1を示す。これによれば、第１発明に示す吊り金物（２）は、角度調整斜材（１４）と角度調整斜材留め溝（１５）により、突き出す角度を調整可能で且つ、突き出ない形にも収納可能である。
【００２４】
図５では、吊り金物（２）は２個設けられ、囲い部材（５）も長方形で囲われるため、奥行きが狭く、通行人（１６）の通路を確保可能になる効果がある。
【００２５】
図６に、第２発明の作用（収納時）を示す。これによれば、吊り金物（２）は、角度調整斜材（１４）と角度調整斜材留め溝（１５）により、突き出ない形に収納され、囲い部材（５）も防護幕（４）を、格納するように収納を実現している。
【００２６】
図７に、第２発明の実施例２を示す。これによれば、第１発明に示す、吊り金物（２）は、角度調整斜材（１４）と角度調整斜材止め溝（１５）により、突き出す角度を調整可能で且つ、突き出ない形にも収納可能である。
【００２７】
図７では、吊り金物（２）は１個設けられ、囲い部材（５）は棒状の重りで構成され、囲み部材（５）の端どうしを着脱可能とする着脱手段（６）は、囲い部材（５）と一体の防護幕（４）側に設けてある。
【００２８】
図８に、第２発明の作用（収納時）を示す。これによれば、吊り金物（２）は、角度調整斜材（１４）と角度調整斜材留め溝（１５）により、突き出ない形に収納され、棒状の囲い部材（５）のためコンパクトに収納され、収納留め具（１７）を巻き付けるように留めることで、突風などでも拡散されない収納を実現している。
【産業上の利用可能性】
【００２９】
ゴミ収集場所に、集められた生ゴミなどを荒らす、カラスなどの鳥害を防ぎ、ゴミ収容作業を効率化し、未使用時にはコンパクトに収納される。
【符号の説明】
【００３０】
１    支持部材
２    吊り金具
３    吊り補助具
４    防護幕
５    囲い部材
６    着脱手段
７    解放部
８    開口用つまみ
９    ゴミ投入口
１０  吊り金具固定部材
１１  網目
１２  重なり部
１３  連結部材
１４  角度調整斜材
１５  角度調整斜材留め溝
１６  通行人
１７  収納留め具
１８  ゴミ袋
１９  利用者
２０  ゴミ収集車
２１  ゴミ収集作業員
【図１】
2017114644.tif 000003
【図２】
2017114644.tif 000004
【図３】
2017114644.tif 000005
【図４】
2017114644.tif 000006
【図５】
2017114644.tif 000007
【図６】
2017114644.tif 000008
【図７】
2017114644.tif 000009
【図８】
2017114644.tif 000010